(57)【要約】【課題】２つの点火プラグを有する場合に、内燃機関の運転条件によって各点火プラグに生じる着火遅れ期間のばらつきによる燃焼のばらつきを抑える。【解決手段】内燃機関の燃焼室に取り付けられた第１点火プラグと、燃焼室の、第１点火プラグとは異なる位置に取り付けられた第２点火プラグと、燃焼室内に燃料を直接噴射する筒内インジェクタと、内燃機関の吸気通路に燃料を噴射するポートインジェクタとを備える内燃機関の制御装置において、まず、内燃機関の冷却水の温度を検出する。あるいはキャニスタパージ中のパージガスの濃度が検出される。その後、冷却水温、あるいはパージガス濃度に応じて、第２点火プラグの点火時期を決定する。次に、決定された第２点火プラグの点火時期に基づいて、第２点火プラグの点火時期が制御される。【選択図】図６
2007154826.tif 000002
【特許請求の範囲】
【請求項１】
内燃機関の燃焼室に取り付けられた第１点火プラグと、
前記燃焼室の、前記第１点火プラグとは異なる位置に取り付けられた第２点火プラグと、
前記燃焼室内に、燃料を直接噴射する筒内インジェクタと、
前記内燃機関の吸気通路に燃料を噴射するポートインジェクタと、
前記内燃機関の冷却水の温度を検出する水温検出手段と、
前記温度に応じて、前記第２点火プラグの点火時期を決定する第２点火プラグ点火時期決定手段と、
前記第２点火プラグの点火時期に基づいて、前記第２点火プラグの点火時期を制御する第２点火プラグ制御手段と、
を備えることを特徴とする内燃機関の制御装置。
【請求項２】
前記第２点火プラグ点火時期決定手段は、前記第１点火プラグに対する前記第２点火プラグの点火時期の基本の位相差を、前記冷却水の温度に応じて補正する第２点火プラグ補正値を求める第２点火プラグ補正値算出手段と、
前記第２点火プラグ補正値に基づいて、前記基本の位相差を補正する位相差補正手段と、
前記補正された位相差と、前記第１点火プラグの点火時期とに基づいて、前記第２点火プラグの点火時期を算出する第２点火プラグ点火時期算出手段と、
を備えることを特徴とする請求項１に記載の内燃機関の制御装置。
【請求項３】
前記内燃機関の１回の燃焼サイクルにおいて、前記筒内インジェクタからの燃料供給と前記ポートインジェクタからの燃料供給とが共に行われる、弱成層燃焼運転中であるか否かを判定する弱成層運転判定手段を備え、
前記第２点火プラグ制御手段は、前記第２プラグの点火時期の制御を、弱成層燃焼運転中であると判定された場合に実行することを特徴とする請求項１または２に記載の内燃機関の制御装置。
【請求項４】
内燃機関の燃焼室に取り付けられた第１点火プラグと、
前記燃焼室の、前記第１点火プラグとは異なる位置に取り付けられた第２点火プラグと、
前記燃焼室内に、燃料を直接噴射する筒内インジェクタと、
前記内燃機関の吸気通路に燃料を噴射するポートインジェクタと、
前記筒内インジェクタ及び前記ポートインジェクタとに燃料を供給する燃料タンクと、
前記燃料タンクからの蒸発燃料を吸着するキャニスタと、
前記蒸発燃料を含むパージガスを、前記キャニスタから前記吸気通路に流入させるパージ機構と、
前記パージガスの濃度に応じて、前記第２点火プラグの点火時期を決定する第２点火プラグ点火時期決定手段と、
前記第２点火プラグの点火時期に基づいて、前記第２点火プラグの点火時期を制御する第２点火プラグ制御手段と、
を備えることを特徴とする内燃機関の制御装置。
【請求項５】
前記第２点火プラグ点火時期決定手段は、前記第１点火プラグに対する前記第２点火プラグの点火時期の基本の位相差を、前記パージガスの濃度に応じて補正する第２点火プラグ補正値を求める第２点火プラグ補正値算出手段と、
前記第２点火プラグ補正値に基づいて、前記基本の位相差を補正する位相差補正手段と、
前記補正された位相差と、前記第１点火プラグの点火時期とに基づいて、前記第２点火プラグの点火時期を算出する第２点火プラグ点火時期算出手段と、
を備えることを特徴とする請求項４に記載の内燃機関の制御装置。
【請求項６】
前記パージガスの濃度に応じて、前記第１点火プラグの点火時期を決定する第１点火プラグ点火時期決定手段と、
前記第１点火プラグの点火時期に基づいて、前記第１点火プラグの点火時期を制御する第１点火プラグ点火時期制御手段と、
を備えることを特徴とする請求項４または５のいずれかに記載の内燃機関の制御装置。
【請求項７】
前記内燃機関の１回の燃焼サイクルにおいて、前記筒内インジェクタからの燃料供給と前記ポートインジェクタからの燃料供給とが共に行われ、かつ空燃比がリーンな状態となる弱成層リーン燃焼運転中であるか否かを判定する弱成層リーン運転判定手段を備え、
前記第２点火プラグ制御手段は、前記第２プラグの点火時期の制御を、弱成層リーン燃焼運転中であると判定された場合に実行することを特徴とする請求項４から６のいずれかに記載の内燃機関の制御装置。
【請求項８】
前記ポートインジェクタが、吸気行程において燃料噴射を行うように制御するポート噴射制御手段と、
前記筒内インジェクタが、圧縮行程において燃料噴射を行うように制御する筒内噴射制御手段と、
を備えることを特徴とする請求項１から７のいずれかに記載の内燃機関の制御装置。
【発明の詳細な説明】
【技術分野】
【０００１】
この発明は内燃機関の制御装置に関する。更に、具体的には、内燃機関の燃焼室内に供給された燃料に点火する際の点火時期を制御する内燃機関の制御装置に関するものである。
【背景技術】
【０００２】
従来、内燃機関の燃焼状態を安定させる手段として、特開２００１−１５９３６７号公報には、内燃機関の燃焼速度や燃焼圧力を制御するシステムが開示されている。このシステムにおいては、以下の制御が実行される。すなわち、まず、内燃機関の燃焼が不安定な運転条件、あるいは燃焼の安定性低下が予想される運転条件であるか否かが判定される。その後、不安定あるいは安定性が低下する運転条件であると判定された場合には、点火時期、点火方式、筒内流速、ＥＧＲ率、及び空燃比のうち、そのときの運転状態に適した項目が選択される。その後、選択した項目について、燃焼速度や燃焼圧力を安定させるように制御が行われる。
【０００３】
具体的な制御としては、例えば、点火時期による制御を行う場合には、点火時期が進角補正される。点火時期の進角量は、内燃機関の回転速度、回転速度の変動量、点火時期、目標空燃比、目標排気温をそれぞれパラメータとする点火時期のマップのいずれかを用いて設定される。その後、設定された進角量に点火時期を進角される。このシステムにおいては、このような制御を行うことにより、通常点火に比べて燃焼速度及び燃焼圧力を上昇させることができるため、燃焼状態の安定化が図られるものとしている。また、点火方式による制御を行う場合、１回の燃焼行程中の点火回数を制御する。点火回数は、内燃機関の回転速度、回転速度変動量、点火時期、点火遅角量、目標空燃比、目標排気温、筒内ガス流速、スワール比、ＥＧＲ率をそれぞれパラメータとする点火回数のマップのいずれかを用いて設定される。その後、設定された点火回数に応じて多重点火が行われる。このシステムにおいては、このような制御を行うことにより、通常点火に比べて燃焼速度、燃焼圧力のばらつきが小さく抑えられ、燃焼状態の安定化が図られるものとしている。
【０００４】
【特許文献１】特開２００１−１５９３６７号公報
【特許文献２】特開２００３−３１４２８８号公報
【発明の開示】
【発明が解決しようとする課題】
【０００５】
ところで、１の気筒内に２つの点火プラグを設けて、一方の点火プラグ付近に濃度の濃い混合気を集中させて点火し、一方、濃度の薄い燃料を他方のプラグで点火することにより燃焼効率を向上させる技術が考えられている。この場合、高い燃焼効率を得るため、各点火プラグの点火時期は、最適なタイミングに決定される必要がある。しかし、各点火プラグには、そのときの運転状況により、それぞれに異なる着火遅れが生じる場合がある。このような着火遅れは、それぞれの点火プラグに一律に生じるものではなく、運転状況に応じて個々の点火プラグに別個に生じるものである。従って、最適な燃焼効率を得るためには、運転状況に応じて、各点火プラグの点火時期を補正することが好ましい。この点、上記技術は、点火時期、点火方式等を制御することで燃焼状態の安定化を図るものではあるが、複数の点火プラグを有する場合に、運転状態によって生じる各点火プラグの着火遅れ等による燃焼のばらつきを抑えることに関して開示するものではない。
【０００６】
従って、この発明は、複数の点火プラグを有する内燃機関において、点火プラグの点火時期を、運転状態に応じた適切な時期に制御するよう改良した内燃機関の制御装置を提供するものである。
【課題を解決するための手段】
【０００７】
第１の発明は、上記の目的を達成するため、内燃機関の制御装置であって、
内燃機関の燃焼室に取り付けられた第１点火プラグと、
前記燃焼室の、前記第１点火プラグとは異なる位置に取り付けられた第２点火プラグと、
前記燃焼室内に、燃料を直接噴射する筒内インジェクタと、
前記内燃機関の吸気通路に燃料を噴射するポートインジェクタと、
前記内燃機関の冷却水の水温を検出する水温検出手段と、
前記水温に応じて、前記第２点火プラグの点火時期を決定する第２点火プラグ点火時期決定手段と、
前記第２点火プラグの点火時期に基づいて、前記第２点火プラグの点火時期を制御する第２点火プラグ制御手段と、
を備えることを特徴とする。
【０００８】
第２の発明は、第１の発明において、前記第２点火プラグ点火時期決定手段は、前記第１点火プラグに対する前記第２点火プラグの点火時期の基本の位相差を、前記水温に応じて補正する第２点火プラグ補正値を求める第２点火プラグ補正値算出手段と、
前記第２点火プラグ補正値に基づいて、前記基本の位相差を補正する位相差補正手段と、
前記補正された位相差と、前記第１点火プラグの点火時期とに基づいて、前記第２点火プラグの点火時期を算出する第２点火プラグ点火時期算出手段と、
を備えることを特徴とする。
【０００９】
第３の発明は、第２の発明において、前記内燃機関の１回の燃焼サイクルにおいて、前記筒内インジェクタからの燃料供給と前記ポートインジェクタからの燃料供給とが共に行われる、弱成層燃焼運転中であるか否かを判定する弱成層運転判定手段を備え、
前記第２点火プラグ制御手段は、前記第２プラグの点火時期の制御を、弱成層燃焼運転中であると判定された場合に実行することを特徴とする。
【００１０】
第４の発明は、上記目的を達成するため、内燃機関の制御装置であって、
内燃機関の燃焼室に取り付けられた第１点火プラグと、
前記燃焼室の、前記第１点火プラグとは異なる位置に取り付けられた第２点火プラグと、
前記燃焼室内に、燃料を直接噴射する筒内インジェクタと、
前記内燃機関の吸気通路に燃料を噴射するポートインジェクタと、
前記筒内インジェクタ及び前記ポートインジェクタとに燃料を供給する燃料タンクと、
前記燃料タンクからの蒸発燃料を吸着するキャニスタと、
前記蒸発燃料を含むパージガスを、前記キャニスタから前記吸気通路に流入させるパージ機構と、
前記パージガスの濃度に応じて、前記第２点火プラグの点火時期を決定する第２点火プラグ点火時期決定手段と、
前記第２点火プラグの点火時期に基づいて、前記第２点火プラグの点火時期を制御する第２点火プラグ制御手段と、
を備えることを特徴とする。
【００１１】
第５の発明は、第４の発明において、前記第２点火プラグ点火時期決定手段は、前記第１点火プラグに対する前記第２点火プラグの点火時期の基本の位相差を、前記パージガスの濃度に応じて補正する第２点火プラグ補正値を求める第２点火プラグ補正値算出手段と、
前記第２点火プラグ補正値に基づいて、前記基本の位相差を補正する位相差補正手段と、
前記補正された位相差と、前記第１点火プラグの点火時期とに基づいて、前記第２点火プラグの点火時期を算出する第２点火プラグ点火時期算出手段と、
を備えることを特徴とする。
【００１２】
第６の発明は、第４または第５の発明において、前記パージガスの濃度に応じて、前記第１点火プラグの点火時期を決定する第１点火プラグ点火時期決定手段と、
前記第１点火プラグの点火時期に基づいて、前記第１点火プラグの点火時期を制御する第１点火プラグ点火時期制御手段と、
を備えることを特徴とする。
【００１３】
第７の発明は、第４から第６のいずれかの発明において、前記内燃機関の１回の燃焼サイクルにおいて、前記筒内インジェクタからの燃料供給と前記ポートインジェクタからの燃料供給とが共に行われ、かつ空燃比がリーンな状態となる弱成層リーン燃焼運転中であるか否かを判定する弱成層リーン運転判定手段を備え、
前記第２点火プラグ制御手段は、前記第２プラグの点火時期の制御を、弱成層リーン燃焼運転中であると判定された場合に実行することを特徴とする。
【００１４】
第８の発明は、第１から第７の発明において、前記ポートインジェクタが、吸気行程において燃料噴射を行うように制御するポート噴射制御手段と、
前記筒内インジェクタが、圧縮行程において燃料噴射を行うように制御する筒内噴射制御手段と、
を備えることを特徴とする。
【発明の効果】
【００１５】
第１の発明によれば、内燃機関の冷却水の温度に応じて、第２点火プラグの点火時期が制御される。これにより、内燃機関の温度によって生じる第２点火プラグの着火遅れ期間のばらつきを相殺することができ、内燃機関の燃焼の安定化を図ることができる。
【００１６】
第２の発明によれば、内燃機関の冷却水の温度に応じて、第１点火プラグに対する第２点火プラグの基本の位相差が補正される。これにより、内燃機関の温度によって生じやすい第２点火プラグの着火遅れ期間の変動を相殺することができる。従って、第１点火プラグと第２点火プラグとの間に生じる着火遅れによる燃焼のばらつきを抑えて、内燃機関の燃焼の安定化を図ることができる。
【００１７】
第３の発明によれば、第２点火プラグの点火時期は、弱成層燃焼運転中であると判定された場合に実行される。従って、特に必要な場合を選択して、第１点火プラグと第２点火プラグとの点火時期の位相差のばらつきを相殺することができ、内燃機関の燃焼の安定化を図ることができる。
【００１８】
第４の発明によれば、パージガスの濃度に応じて、第２点火プラグの点火時期が制御される。これにより、パージガスの濃度の影響によって吸気通路からの混合気の濃度が変動した場合に生じる第２点火プラグの着火遅れ期間の変動を、点火時期の制御により相殺することができる。従って、内燃機関の燃焼の安定化を図ることができる。
【００１９】
第５の発明によれば、パージガスの濃度に応じて、第１点火プラグに対する第２点火プラグの基本の位相差が補正される。これにより、パージガス濃度の影響によって生じる第２点火プラグの着火遅れ期間の変動を、点火時期の制御により相殺することができる。従って、第１点火プラグと第２点火プラグとの間に生じる着火遅れによる燃焼のばらつきを抑えて、内燃機関の燃焼の安定化を図ることができる。
【００２０】
第６の発明によれば、パージガスの濃度に応じて、第１点火プラグの点火時期が制御される。従って、パージガスの濃度の影響によって、吸気通路からの混合気の濃度が変動した場合に生じる第１点火プラグの着火遅れ期間の変動を、点火時期により相殺することができる。従って、内燃機関の燃焼の安定化を図ることができる。
【００２１】
第７の発明によれば、第２点火プラグの点火時期は、弱成層リーン燃焼運転中であると判定された場合に実行される。従って、必要な場合を選択して、第１点火プラグと第２点火プラグとの点火時期の位相差のばらつきを相殺することができ、内燃機関の燃焼の安定化を図ることができる。
【００２２】
第８の発明によれば、ポートインジェクタが、吸気行程において燃料噴射を行うように制御され、筒内インジェクタが、圧縮行程において燃料噴射を行うように制御される。従って、弱成層燃焼運転中の第１点火プラグ、第２点火プラグに生じる位相差のばらつきを相殺することができ、内燃機関の燃焼の安定を図ることができる。
【発明を実施するための最良の形態】
【００２３】
以下、図面を参照して本発明の実施の形態について説明する。なお、各図において、同一または相当する部分には同一符号を付してその説明を簡略化ないし省略する。
【００２４】
実施の形態１．
[実施の形態１のシステム構成]
図１は、この発明の実施の形態１の制御システムを説明するための模式図である。図１に示すシステムは内燃機関２を備えている。内燃機関２は気筒４を備えている。図１においては１の気筒４の断面のみを表しているが、内燃機関２は複数の気筒４を備えている。気筒４内部にはピストン６が配置されている。ピストン６はその表面に窪みを有する。ピストン６は、コンロッド８を介してクランクシャフト（図示せず）に接続されている。クランクシャフトの近傍には、内燃機関２の機関回転数に応じた出力を発する回転数センサ１０が配置されている。気筒４の近傍には内燃機関２を冷却する冷却水の温度ＴＷに応じた出力を発する水温センサ１２が配置されている。
【００２５】
気筒４内のピストン６上部には燃焼室１４が設けられている。燃焼室１４の天井部（シリンダヘッド）中央には、メイン点火プラグ１６（第１点火プラグ）が、その先端のギャップを燃焼室１４内に突出させるようにして組み付けられている。燃焼室１４の上方中央部からずれた位置には、サイド点火プラグ１８（第２点火プラグ）が、その先端のギャップを燃焼室１４内に突出させるようにして組みつけられている。燃焼室１４の側部には、筒内インジェクタ２０が燃焼室１４内に突出するように組み付けられている。燃焼室１４の天井部には、吸気ポート２２及び排気ポート２４が連通している。吸気ポート２２には、先端の噴射口が吸気ポート２２内に露出するようにしてポートインジェクタ２６が設けられている。
【００２６】
吸気ポート２２には、吸気ポート２２を開閉する吸気バルブ３０が備えられている。排気ポート２４には、排気ポート２４を開閉する排気バルブ３２が備えられている。内燃機関２は、吸気バルブ３０を駆動する吸気カム３４と、排気バルブ３２を駆動する排気カム３６とを備えている。吸気カム３４及び排気カム３６は、それぞれ、カムシャフト等を介して、図示しないＶＶＴ機構(Variable Valve Timing Mechanism)に連結されている。
【００２７】
上記のように内燃機関２は、複数の気筒４を有している。各気筒４の吸気ポート２２は共通の吸気通路４０に接続されている。吸気通路４０には、電子制御式のスロットルバルブ４２が設けられている。スロットルバルブ４２はその開度を変更することにより、吸気通路４０内に流入する空気量を調整する。スロットルバルブ４２の開度は、アクチュエータを介して、アクセル操作などによる加減速要求等に基づいて電気的に制御される。すなわち、アクセル開度に基づかずにスロットル開度を制御することができる。スロットルバルブ４２の上流において吸気通路４０には、エアフロメータ４４が配置されている。エアフロメータ４４は、吸気通路４０内に流入する空気流量に応じた出力を発する。一方、各気筒４の排気ポート２４は、共通の排気通路４６に接続されている。排気通路には、空燃比センサ４８が取りつけられている。空燃比センサ４８は、排気空燃比に応じた出力を発する。排気通路４４は、三元触媒５０に接続されている。
【００２８】
筒内インジェクタ２０は燃料を燃焼室１４内に直接噴射し、ポートインジェクタ２６は、吸気ポート２２内に燃料を噴射する。筒内インジェクタ２０は、高圧燃料噴射ポンプ５２に接続されている。高圧燃料噴射ポンプ５２は、燃料タンク５４に接続されている。燃料タンク５４は、ベーパ通路５６を介して、キャニスタ５８に接続されている。燃料タンク５４内で発生した蒸発燃料（以下「ベーパ」とする）の一部は、ベーパ通路５６を介してキャニスタ５８に導入されるようになっている。キャニスタ５８には、パージ通路６０が接続されている。パージ通路６０の途中にはＶＳＶ（パージ制御弁）６２が設けられている。パージ通路６０の一端は、吸気通路４０に接続されている。このシステムにおいて、キャニスタ５８はベーパを吸着保持する。キャニスタ５８内のベーパは、内燃機関２の運転中にパージ通路６０を介して、吸気通路４０に供給される。
【００２９】
内燃機関２は、ＥＣＵ（Electronic Control Unit）７０を備えている。ＥＣＵ７０は、回転数センサ１０、水温センサ１２、エアフロメータ４４、空燃比センサ４８、アクセルポジションセンサ７２等の各種センサから、内燃機関２の制御に必要な情報を取得する。また、取得した情報に基づいて、クランクシャフト、ＶＶＴ機構、メイン点火プラグ１６の点火時期、サイド点火プラグ１８の点火時期、筒内インジェクタ２０及びポートインジェクタ２６からの燃料噴射量と噴射のタイミング、スロットルバルブ４２、ＶＳＶ６２等を制御する。
【００３０】
[実施の形態１の基本的な制御]
以上のようなシステムを用いて、筒内インジェクタ２０から圧縮行程の終了間際に燃料が噴射された場合、噴射された燃料は、ピストン６上面に形成された窪みに沿って、メイン点火プラグ１６の点火プラグ近傍に導かれる。つまり、ピストン６の圧縮行程終了間際に窪みに燃料が噴射されると、燃料がメイン点火プラグ１６付近に導かれて周囲に比べて燃料密度が比較的高い領域（成層）が形成される。これにより、メイン点火プラグ１６による着火性が高められた状態で着火することができ、いわゆる成層燃焼が実現される。
【００３１】
一方、ポートインジェクタ２６からは、吸気行程時に吸気ポート２２内に燃料が噴射された場合、噴射された燃料は、吸気ポート２２内の大気と均質に混合された混合気（均質混合）となった状態で、吸気行程において燃焼室１４内に導かれる。燃焼室１４内においては燃料が気化して全体に均一に分散し、サイド点火プラグ１８により、あるいはメイン点火プラグ１６とサイド点火プラグ１８との組み合わせにより着火され、いわゆる均質燃焼を実現される。
【００３２】
このシステムにおいては、運転条件に応じて、筒内インジェクタ２０とポートインジェクタ２６とが同時に用いられる運転モードに制御される場合がある。つまり、ポートインジェクタ２６からは吸気行程時に燃料が噴射され、吸気行程において、燃焼室１４内に導入され、筒内インジェクタ２０から圧縮行程の終了間際に燃料が直接燃焼室１４内に噴射され、メイン点火プラグ１６周辺に導入される。このとき、メイン点火プラグ１６付近の成層と、均質混合気が分散した部分との燃料濃度の差は、筒内インジェクタ２０のみ用いた場合よりも小さくなる。このように、筒内インジェクタ２０とポートインジェクタ２６とを用いることにより、弱成層運転が実現される。また、弱成層において、特に、燃料リーンとなるように空燃比が制御される場合に、弱成層リーン運転が実現される。
【００３３】
実施の形態１においては、特に、弱成層あるいは弱成層リーン時のメイン点火プラグ１６の点火時期（以下「メイン点火時期」とする）とサイド点火プラグ１８の点火時期（以下「サイド点火時期」とする）とを制御することにより、内燃機関２の燃焼の安定化を図る。図２は、実施の形態１におけるメイン点火時期について説明するためのグラフである。図２において、縦軸は機関負荷、横軸は機関回転数を表している。図２の各線に示された数値は、メイン点火プラグ１６のＴＤＣ（Top Dead Center）からの進角量を表している。図２に示すように、メイン点火時期はエンジン負荷とエンジン回転数に応じて決定される。つまり、メイン点火時期は負荷が小さい時には早められ、負荷が大きい時にはＴＤＣ近くに遅角されるように設定されている。図２に示すような関係に基づく、機関負荷と機関回転数をパラメータとするメイン点火時期のマップは、予めＥＣＵ７０に記憶されている。弱成層あるいは弱成層リーン運転時には、このマップに従って、メイン点火時期が決定される。
【００３４】
図３は、メイン点火時期に対するサイド点火時期の基本的な位相差を表すグラフである。図３において、横軸は機関回転数を表し、縦軸は点火時期の基本位相差、すなわち、メイン点火時期に対するサイド点火時期の基本進角量を表している。図３においては、サイド点火時期のメイン点火時期に対する基本位相差が、機関回転数が大きい場合には小さく、回転数が小さい場合には大きな進角となる例を示す。図３に示すような関係に基づく、機関回転数をパラメータとするメイン点火時期に対するサブ点火時期の基本位相差のマップは、ＥＣＵ７０に予め記憶されている。通常、点火時期の決定の際には、機関回転数と負荷とが検出され、この検出値に基づいてメイン点火時期が決定し、メイン点火時期と基本位相差とに基づいてサイド点火時期が決定する。
【００３５】
[実施の形態１の特徴的な制御]
ところで、内燃機関２の暖機状態に応じて、メイン点火プラグ１６とサイド点火プラグ１８とのそれぞれの着火遅れ期間には異なる変動が生じる。特に、内燃機関２の冷間時には、内燃機関２内の燃焼室１４壁面等の温度も低い状態となっている。このため、燃焼室１４内全体に分散した均質混合気中の燃料は気化され難く、燃焼され難い状態となっている。この場合は通常時に比して均質燃焼に要する時間が長くなる。従って、サイド点火プラグ１８の着火遅れ期間は大きくなる傾向にある。一方、メイン点火プラグ１６は、プラグ付近に供給される濃度の高い燃料を燃焼させる。このため、内燃機関２の冷間時においても、内燃機関２の温度の影響を受け難く、温度の着火遅れ期間の変動も小さい。以上より、内燃機関２の冷間時においては、内燃機関２の暖機状態に応じて、特にサイド点火時期を進角させる必要がある。
【００３６】
従って、実施の形態１においては、内燃機関２の暖機状態を表すパラメータとして、冷却水温を用いて、この水温に応じて、基本位相差の補正を行う。図４は、冷却水温に応じた基本位相差に対する補正値を表すグラフである。図４において、横軸は水温ＴＷ（℃）を表し、縦軸は基本位相差に対する補正値（進角量）を表している。なお、図４において補正値は、進角側をプラスとして表している。サイド点火時期の着火遅れ期間とメイン点火プラグ１６の着火遅れ期間との差は、内燃機関２の冷間時において大きくなり、暖機が進むにつれてその差は小さくなる。従って、図４に示すように、基本位相差に対する補正値は、水温ＴＷが低い場合に大きく、水温ＴＷが高くなるにつれて小さくなるように設定される。図４に示すような関係に基づく、水温をパラメータとする基本位相差に対するマップは、予めＥＣＵ７０に記憶されている。内燃機関２の冷間時には、水温センサ１２からの出力に基づいて水温ＴＷが検出され、これに応じて、ＥＣＵ７０に記憶されたマップに従って、サイド点火時期が決定される。
【００３７】
[実施の形態１の制御のルーチン]
図５は、この発明の実施の形態１においてシステムが実行する制御のルーチンについて説明するためのフローチャートである。図５に示すルーチンは内燃機関２の燃焼中、メイン点火プラグ１６、サイド点火プラグ１８の点火時期を設定する際に実行されるルーチンである。図５示すルーチンにおいては、まず、水温ＴＷの検出が行われる（ステップＳ１０２）。水温ＴＷは、ＥＣＵ７０において、水温センサ１２からの検出信号に基づいて求められる。次に、現在の内燃機関２の回転数が検出される（ステップＳ１０４）。回転数は、ＥＣＵ７０において、回転数センサ１０からの検出信号に基づいて求められる。次に、現在の機関負荷が算出される（ステップＳ１０６）。機関負荷は、エアフロメータ４４の検出信号等に基づいて、ＥＣＵ７０において算出される。
【００３８】
次に、現在の運転状態が弱成層、または弱成層リーン運転中であるか否かが判定される（ステップＳ１０８）。具体的には、現在、筒内インジェクタ２０とポートインジェクタ２６との両方を用いて、燃料が供給されている運転状態であるか否かが判定される。ステップＳ１０８において、弱成層あるいは弱成層リーン運転中であると認められない場合には、通常の方法により、そのときの運転状態に適したメイン点火時期あるいはサイド点火時期が必要に応じて設定され（ステップＳ１１０）、この処理を終了する。
【００３９】
一方、ステップＳ１０８において、現在の運転状態が、弱成層または弱成層リーン運転中であると判定された場合、メイン点火時期が設定される（ステップＳ１１２）。メイン点火時期は、予めＥＣＵ７０に記憶された、機関回転数と負荷とをパラメータとする点火時期のマップに従って、ステップＳ１０４及びステップＳ１０６において検出された機関回転数と負荷に応じた値が読み出されて設定される。次に、設定されたメイン点火時期に対する基本位相差が読み出される（ステップＳ１１４）。メイン点火時期に対する基本位相差は、予めＥＣＵ７０に記憶された、回転数をパラメータとする基本位相差のマップに従って、ステップＳ１０４において検出された機関回転数に応じ値が読み出されて設定される。
【００４０】
次に、内燃機関２の冷間時であるか否かが判定される（ステップＳ１１６）。ここではステップＳ１０２において検出された現在の水温が、判定値ＴＷ０以下であるか否かに基づいて判定される。判定値ＴＷ０は、サイド点火プラグ１８の着火遅れ期間が補正を要するほどに大きくなる内燃機関２の暖機状態の範囲中で、上限となる水温の値として、予めＥＣＵ７０に記憶されている。ステップＳ１１６において現在の水温≦ＴＷ０の成立が認められない場合、冷間時ではないものと判定され、従来の通りに、サイド点火時期が決定される（ステップＳ１１８）。ここでは、冷間時であることによるサイド点火時期の着火遅れ期間を考慮する必要がないため、サイド点火時期は、ステップＳ１１２において設定されたメイン点火時期を、ステップＳ１１４において設定された基本位相差分、進角させた値に設定される。その後、この処理を終了する。
【００４１】
一方、ステップＳ１１６において、水温≦ＴＷ０の成立が認められた場合、サイド点火時期の基本位相差に対する補正値が読み出される（ステップＳ１２０）。ここでは、予めＥＣＵ７０に記憶された水温をパラメータとする補正値のマップに従って、ステップＳ１０２において検出された水温に応じた値が補正値として読み出される。次に、サイド点火時期が決定される（ステップＳ１２２）。ここでは、ステップＳ１１４で読み出された基本位相差に、ステップＳ１２０において読み出された補正値を加えた値が、メイン点火時期に対する進角量とされ、メイン点火時期を、この進角量を進角させた値が、サイド点火時期として設定される。その後、このルーチンを終了する。
【００４２】
以上説明したように、実施の形態１においては、サイド点火時期のメイン点火時期に対する位相差が、冷却水温に基づいて決定された補正値により補正される。内燃機関２の冷間時には、燃焼室１４内の均質混合気は燃焼されにくく、サイド点火プラグ１８側の着火遅れ期間が特に大きくなりやすい。従って内燃機関２の冷間時にはこの着火遅れを解消するため、サイド点火時期の進角量が大きくなるように補正される。これにより、サイド点火プラグ１８の着火遅れ期間の変動分を相殺することができ、内燃機関２の燃焼の安定化を図ることができる。
【００４３】
なお、実施の形態１において、メイン点火時期は、回転数と負荷をパラメータとするマップに従って決定される場合について説明した。しかし、この発明においてメイン点火時期を決定するパラメータは、回転数と負荷のみに限られるものではなく、他の様々な運転条件に従って決定されるものであってもよい。また、同様に、メイン点火時期に対するサイド点火時期の基本位相差は、内燃機関２の回転数に基づいて決定される場合について説明した。しかし、この発明においてメイン点火時期とサイド点火時期との基本位相差を決定するパラメータは、回転数に限られるものではなく、他のパラメータを用いるものであってもよい。また複数のパラメータに基づいて決定されるものであってもよい。また、この発明においてメイン点火時期に対してサイド点火時期の基本位相差は、進角である場合に限定されるものでもない。基本位相差は、様々な運転条件を考慮して基本位相差は適宜設定され得るものである。
【００４４】
また、基本位相差に対する補正値と冷却水温との関係は、図４に例示したものに限定されるものではない。冷間中に生じる着火遅れ期間の変動量と、水温との関係は、内燃機関ごとに、あるいは運転条件によって異なるものである。したがって、この発明において補正値と冷却水温との関係は、図４に示すものに限定されるものではなく、内燃機関ごとに設定されるものである。
【００４５】
また、実施の形態１においては、基本位相差に対する補正値を求めて、この補正値に応じて基本位相差を修正することによりサイド点火時期を決定する場合について説明した。しかし、この発明はこれに限るものではなく、例えば、水温及び他の要因に基づいてメイン点火時期に対する位相差を直接求めて、サイド点火時期を決定するものであってもよい。また、メイン点火プラグとの位相差を求めるものに限るものでもなく、例えば、水温及び他の要因に基づいてサイド点火時期を直接決定するものであってもよい。
【００４６】
また、サイド点火プラグ１８や筒内インジェクタ２０等、この発明の内燃機関２の各部材の構成は、図１に説明したものに限るものではない。各部材の構成は、この発明の制御を実現し得る範囲で適宜選択し得るものである。
【００４７】
なお、実施の形態１において、ステップＳ１０２を実行することにより、この発明の「水温検出手段」が実現し、ステップＳ１２０、Ｓ１２２を実行することにより「第２点火プラグ点火時期決定手段」が実現し、ステップＳ１２０を実行することにより「第２点火プラグ補正値算出手段」及び「位相差補正手段」が実現し、ステップＳ１２２を実行することにより「第２点火プラグ点火時期算出手段」が実現し、ステップＳ１０８を実行することにより「弱成層運転判定手段」が実現している。
【００４８】
実施の形態２．
実施の形態２のシステムは、図１に示すシステムと同様の構成を有する。実施の形態１のシステムは、メイン点火時期に対するサイド点火時期の基本位相差を冷却水温に基づいて補正するのに対して、実施の形態２のシステムは、キャニスタパージ際のベーパの濃度に基づいて、基本位相差に対する補正値を算出する。
【００４９】
燃料タンク５４には、蒸発燃料（ベーパ）を含むガスが貯留されている。このガスは、例えばタンクの温度上昇に伴ってベーパが新たに生成されることにより、あるいは、給油が行われることによりベーパ通路５６からキャニスタ５８内に流入する。燃料タンク５４からのベーパは、一時的にキャニスタ５８に吸着され、内燃機関２の運転中に吸気通路４０に向けてパージされる。
【００５０】
パージされたベーパは、吸気通路４０内に供給される空気と、吸気ポート２２に供給されるポートインジェクタ２６からの燃料と混合されて、燃焼室１４内に供給される。従って、吸気ポート２２から燃焼室１４内に供給される均質混合気の空燃比Ａ/Ｆは、パージされたベーパの濃度によって変動が生じる。特に、弱成層リーン時の空燃比制御を行っていないような状態においては、ベーパ濃度による濃度変動の影響を受けた状態のままで均質混合気が燃焼室１４内に供給されることとなる。
【００５１】
このため、均質燃焼に用いられるサイド点火プラグは、特に、均質混合気のベーパ濃度によるＡ/Ｆの変動の影響を受ける。つまり、ベーパ濃度が小さい場合には、均質混合気がＡ/Ｆがリーンとなるため、サイド点火プラグ１８の着火遅れ期間は大きくなる。この着火遅れ期間の変動はベーパ濃度が大きくなるにつれて小さくなる。一方、メイン点火プラグ１６周辺には、筒内インジェクタ２０から供給された濃度の濃い燃料が集中する。このため、メイン点火プラグ１６への均質混合気のＡ/Ｆ変動の影響は小さい。従って、サイド点火プラグ１８とメイン点火プラグ１６とに生じる着火遅れ期間の差にばらつきが生じる。従って、実施の形態２においては、キャニスタパージ中において生じるサイド点火プラグ１８とメイン点火プラグ１６との着火遅れ期間のばらつきを相殺するように、サイド点火時期を制御する。
【００５２】
図６は、ベーパ濃度と基本位相差に対する補正値との関係を示すグラフである。図６において、横軸はベーパ濃度を示し、縦軸は、基本位相差に対する補正値を表している。図６に示すように、サイド点火時期は、ベーパ濃度が小さくなるにしたがって進角量が大きくなるように補正される。つまりベーパ濃度が小さくＡ/Ｆリーンな状態においては、サイド点火プラグ１８の着火遅れ期間が特に大きくなるため、サイド点火時期をより進角させて、この遅れを相殺するようにする。一方、ベーパ濃度が大きくなるに従って、サイド点火プラグ１８の着火遅れ期間とメイン点火プラグ１６の着火遅れ期間との差は小さくなるため、基本位相差に対する補正値も小さくなる。
【００５３】
ＥＣＵ７０は、このような、ベーパ濃度をパラメータとする基本位相差に対する補正値をマップとして予め記憶する。サイド点火時期を設定する際には、図３に示す基本位相差に、更に図６に示すマップから求めた補正値を加えて、メイン点火時期に対する進角量とする。そして、図２に示されるようなマップに基づいて設定されるメイン点火時期から、その進角量分進角することにより、サイド点火時期が決定される。なお、ベーパ濃度の算出方法は、例えば、パージ濃度学習により予測されるベーパ濃度を用いるなど、既知の手法により検出あるいは予想された値を用いればよい。
【００５４】
図７は、この発明の実施の形態２において、システムが実行する制御のルーチンについて説明するためのフローチャートである。図７のルーチンは、図５のルーチンのステップＳ１０２を実行せず、Ｓ１０８に代えて、ステップＳ２０２が実行され、ステップＳ１１６に代えてステップＳ２０４及びＳ２０６が実行され、ステップＳ１２０、Ｓ１２２に代えてステップＳ２０８、Ｓ２１０が実行される点を除き、図５のルーチンと同じものである。具体的に、ステップＳ１０４、Ｓ１０６において回転数と負荷が検出された後、ステップＳ２０２において、現在、弱成層リーン運転中であるか否かが検出される。ここでは、現在、ポートインジェクタ２６及び筒内インジェクタ２０が同時に用いられ、かつＡ/Ｆが全体としてリーンになるような運転条件で運転されているか否かが判定される。ステップＳ２０２において弱成層リーン運転中であると認められない場合には、通常の方法に従って、メイン点火時期あるいはサイド点火時期が設定され（ステップＳ１１０）、この処理が終了する。
【００５５】
一方、ステップＳ２０２において弱成層リーン運転中であると認められた倍、ステップＳ１１２、Ｓ１１４において、メイン点火時期の設定、それに対する基本位相差の読み出しを行われる。その後、ステップＳ２０４において、現在、キャニスタパージ中であるか否かが判定される。ステップＳ２０４においてキャニスタパージ中であることが認められない場合には、ステップＳ１１２で求められたメイン点火時期と基本位相差とに従って、サイド点火時期が決定され（ステップＳ１１８）、この処理が終了する。
【００５６】
一方、ステップＳ２０４においてキャニスタパージ中であると認められた場合には、ベーパ濃度が検出される（ステップＳ２０６）。ベーパ濃度は、ここでは予め学習されたパージ濃度学習値に基づいて求められる。次に、基本位相差に対する補正値が算出される（ステップＳ２０８）。補正値は、予めＥＣＵ７０に記憶された、ベーパ濃度をパラメータとする補正値のマップに従って、ステップＳ２０４において求められたベーパ濃度に応じた値に設定される。その後、サイド点火時期が設定される（ステップＳ２１０）。サイド点火時期は、メイン点火時期を、基本位相差と補正値とを加えた進角量に従って進角させた時期に決定される。その後この処理が終了する。
【００５７】
以上説明したように、実施の形態２においては、ベーパ濃度に応じてサイド点火時期が補正される。すなわち、ベーパ濃度がＡ/Ｆリーンな状態においては、サイド点火時期の着火遅れが大きいため、サイド点火時期の進角量が大きく設定され、ベーパ濃度が比較的小さい状態においては、サイド点火時期の進角量が小さく設定される。このようにベーパ濃度に応じた補正を行うことにより、キャニスタパージ中に発生するサイド点火時期の点火遅れ期間を相殺することができ、内燃機関２の燃焼の安定化を図ることができる。
【００５８】
なお、実施の形態２においてはベーパ濃度を、パージ濃度学習値に基づいて求める場合について説明した。しかし、パージ濃度の算出方法はこの方法に限るものではなく、他の手法により求めたものであってもよい。また、サイド点火時期の補正値を、ベーパ濃度をパラメータとするマップに従って求める場合について説明した。しかし、この発明はこれに限るものではなく、ベーパ濃度を反映する他のパラメータを用いてサイド点火時期の補正値を決定することもできる。
【００５９】
また、ベーパ濃度と補正値との関係を図６に示したが、この発明において、パージ濃度と補正値との関係は、これに限るものではなく、内燃機関２ごとに、またそのときの運転状態によって、異なるものである。従って、パージ濃度と補正値との関係のマップは、図６に示すような関係に限定されず、内燃機関２ごとに個別に設定されるものである。また、実施の形態２においては、ベーパ濃度に応じて、基本位相差に対する補正値を求めて、基本位相差を補正する場合について説明した。しかし、この発明はこれに限るものではなく、例えば、メイン点火時期に対するサイド点火時期の位相差を、ベーパ濃度及び他の要因に応じて設定するようにしてもよい。また、例えば、メイン点火時期に対する位相差を求めるものに限るものでもなく、ベーパ濃度等に応じて、サイド点火時期を直接設定するものであってもよい。
【００６０】
また、実施の形態２においては、筒内インジェクタ２０とポートインジェクタ２６を同時に用いる場合のサイド点火時期を補正について説明した。しかし、この発明はこれに限るものではなく、ポートインジェクタ２６のみを用いた均質燃焼運転中にも、同様に適用することができる。すなわち、キャニスタパージ中におけるベーパ濃度によるＡ/Ｆの変動は、均質燃焼であっても同様にサイド点火プラグ１８の着火遅れ期間に影響を与える。従って、均質燃焼においても、実施の形態２に説明したように、サイド点火プラグ１８の点火時期を、ベーパ濃度に応じた進角補正をすることにより、着火遅れ期間を相殺することができる。
【００６１】
なお、実施の形態２において、ステップＳ２０８及びステップＳ２１０を実行することにより、この発明の「第２点火プラグ点火時期決定手段」が実現し、ステップＳ２０８を実行することにより「第２点火プラグ補正値算出手段」及び「位相差補正手段」が実現し、ステップＳ２１０を実行することにより「第２点火プラグ点火時期算出手段」が実現し、ステップＳ２０２を実行することにより「弱成層リーン運転判定手段」が実現される。
【００６２】
実施の形態３．
実施の形態３のシステム構成は、図１において説明したものと同じものである。実施の形態３においては、ベーパ濃度に応じてメイン点火時期を補正する。上記したように、キャニスタパージ中には、キャニスタ５８に吸着されたベーパが、吸気通路４０に向けてパージされる。パージされたベーパは、吸気通路４０内に供給される空気と、ポートインジェクタ２６からの燃料と混合されて、燃焼室１４内に供給される。つまりパージされるベーパは、燃焼室１４内に均質混合気として供給される。しかし、ベーパを含む均質混合気は、メイン点火プラグ１６付近も含む、燃焼室１４内全体に供給される。従って、メイン点火プラグ１６による燃焼にも影響を与える。ベーパ濃度が濃くＡ/Ｆリッチな場合、メイン点火プラグ１６付近は更にＡ/Ｆリッチな状態となる。従って、着火遅れ期間が通常想定されている着火期間よりも短くなる。一方、ベーパ濃度が薄くなるにつれて、メイン点火プラグ１６付近のＡ/Ｆも薄くなるため、着火遅れ期間が長くなる。従って、ベーパ濃度によるメイン点火プラグ１６の着火遅れ期間の変動を相殺するため、実施の形態３においては、メイン点火時期の制御を行う。
【００６３】
図８は、ベーパ濃度とメイン点火時期の補正値との関係を表すグラフである。図９において横軸はベーパ濃度を表し、縦軸はメイン点火時期に対する補正値（遅角量）を表している。尚、図８においては、補正値は、遅角をプラスとして表している。図８に示すように、メイン点火時期は、ベーパ濃度が大きくなる場合には、均質混合気の濃度も大きくなるため、メイン点火プラグ１６の着火遅れ期間が短くなる。従って、メイン点火時期を遅角するように補正する。すなわち、補正値（遅角量）が大きくなる。一方、ベーパ濃度が小さくリーンな状態となる場合には、メイン点火時期に生じる着火遅れ期間が大きくなる。従って、メイン点火時期に対する遅角量が小さくなるように補正値が決定される。このようにメイン点火時期を補正することにより、ベーパ濃度によって生じる着火遅れ期間の変動の影響を抑え、内燃機関２の燃焼の安定化を図ることができる。ＥＣＵ７０は、図８に示すような関係に基づいて設定された、ベーパ濃度をパラメータとするメイン点火時期のマップを予め記憶する。キャニスタパージ中のメイン点火時期の補正値は、このマップに従って、検出されたベーパ濃度に基づいて決定される。
【００６４】
図９は、この発明の実施の形態３においてシステムが実行する制御のルーチンを説明するためのフローチャートである。図９に示すルーチンは、ステップＳ２０８〜Ｓ２１０に代えてステップＳ３０２〜Ｓ３０６を実行する点を除き、図７のルーチンと同じものである。具体的には、ステップＳ２０２において、弱成層リーン運転中であることが認められ、かつステップＳ２０４においてパージ中であることが認められた場合に、ステップＳ２０６においてパージ濃度が算出された後、メイン点火時期に対する補正値が読み出される（ステップＳ３０２）。ここでは、予めＥＣＵ７０に記憶された、パージ濃度をパラメータとする補正値のマップに従って、ステップＳ２０６において求められたパージ濃度に応じた値が補正値として読み出される。次に、補正後のメイン点火時期が設定される（ステップＳ３０４）。補正後のメイン点火時期は、ステップＳ１１２において設定されたメイン点火時期を、ステップＳ３０２において読み出された補正値に従って遅角した値に設定される。
【００６５】
次に、サイド点火時期が設定される（ステップＳ３０６）。サイド点火時期は、補正後のメイン点火時期を、ステップＳ１１４において読み出された基本位相差分進角させた値に設定される。その後、この処理が終了する。
【００６６】
以上説明したように、実施の形態３においては、パージ中のベーパ濃度に応じて、メイン点火時期が補正される。これにより、パージ中のベーパによって生じる、メイン点火プラグ１６の着火遅れ期間の変動を相殺するように、メイン点火時期が補正される。従って、着火遅れ期間の変動による影響を抑えることができ、内燃機関２の燃焼の安定化を図ることができる。
【００６７】
なお、メイン点火時期の補正値を、ベーパ濃度をパラメータとするマップに従って求める場合について説明した。しかし、この発明はこれに限るものではなく、ベーパ濃度を反映する他のパラメータを用いてサイド点火時期の補正値を決定することもできる。
【００６８】
また、ベーパ濃度とメイン点火時期に対する補正値との関係を図８に示したが、この発明において、パージ濃度と補正値との関係はこれに限るものではなく、内燃機関２ごとに、またそのときの運転状態によって異なるものである。従って、パージ濃度と補正値との関係のマップは図６に示すような関係に限定されず、内燃機関２ごとに個別に設定されるものである。また、実施の形態３においてはベーパ濃度に基づいてまず、メイン点火時期に対する補正値を求めて、この補正値に従って点火時期を補正する場合について説明した。しかし、この発明はこれに限るものではなく、例えば、ベーパ濃度や他の要因に従って、直接メイン点火時期を設定するものであってもよい。
【００６９】
また、実施の形態３においては、筒内インジェクタ２０とポートインジェクタ２６を同時に用いる場合のメイン点火時期を補正について説明した。しかし、この発明はこれに限るものではなく、ポートインジェクタ２６のみを用いた均質燃焼運転中にも、同様に適用することができる。すなわち、キャニスタパージ中におけるベーパ濃度によるＡ/Ｆの変動は、均質燃焼であっても同様にメイン点火プラグ１６の着火遅れ期間に影響を与える。従って、均質燃焼においても、実施の形態３に説明したように、メイン点火時期を、ベーパ濃度に応じた進角補正をすることにより、着火遅れ期間を相殺することができる。
【００７０】
なお、実施の形態３において、ステップＳ３０２及びＳ３０４を実行することにより、「第１点火プラグ点火時期決定手段」が実現する。
【００７１】
実施の形態４．
実施の形態４のシステムの構成は、図１に示すシステムと同じものである。実施の形態４においては、実施の形態２及び３における制御を組み合わせて実行する。すなわち、実施の形態３に説明したように、図８に示すような関係の、ベーパ濃度をパラメータとするメイン点火時期の補正値のマップに従って、メイン点火時期を遅角補正する。その後、図６に示すような関係の、ベーパ濃度をパラメータとする基本位相差に対する補正値のマップに従って、サイド点火時期のメイン点火時期に対する基本位相差を進角補正する。その後、サイド点火時期は、補正されたメイン点火時期から、進角補正された位相差分進角することにより決定される。
【００７２】
図１０は、この発明の実施の形態４においてシステムが実行する制御のルーチンについて説明するためのフローチャートである。図１０のルーチンは、図９のルーチンのステップＳ３０６に代えて、ステップＳ４０２、Ｓ４０４を実行する点を除き、図９のルーチンと同じものである。具体的に、ベーパ濃度に基づいて、補正後のメイン点火時期が設定された後（ステップＳ３０４）、サイド点火時期の基本位相差に対する補正値が読み出される（ステップＳ４０２）。ここでは、ＥＣＵ７０に予め記憶された、ベーパ濃度をパラメータとするサイド点火時期の補正値のマップに従って、ステップＳ２０６において求めたれたパージ濃度に応じた値が、補正値として読み出される。なお、このマップは、実施の形態２において説明したマップと同様のものである。次に、サイド点火時期が設定される（ステップＳ４０４）。ここでは、サイド点火時期は、ステップＳ３０４において設定された補正後のメイン点火時期を、基本位相差とステップＳ４０４において決定された補正値分進角させた値に設定される。
【００７３】
以上説明したように、実施の形態４においては、ベーパ濃度に基づいて、メイン点火時期及びサイド点火時期が補正される。従って、キャニスタパージにより全体にＡ/Ｆが変動する場合に、メイン点火時期、サイド点火時期にそれぞれに生じる着火遅れ期間の変動の影響を抑えることができる。従って、内燃機関２の燃焼の安定化を図ることができる。
【００７４】
以上の実施の形態において各要素の個数、数量、量、範囲等の数に言及した場合、特に明示した場合や原理的に明らかにその数に特定される場合を除いて、その言及した数に限定されるものではない。また、実施の形態において説明する構造や、方法におけるステップ等は、特に明示した場合や明らかに原理的にそれに特定される場合を除いて、この発明に必ずしも必須のものではない。
【図面の簡単な説明】
【００７５】
【図１】この発明の実施の形態１におけるシステムの構成を説明するための模式図である。
【図２】エンジン回転数と負荷と、メイン点火プラグの点火時期との関係を説明するためのグラフである。
【図３】エンジン回転数と、メイン点火プラグに対するサイド点火プラグの点火時期位相差を説明するためのグラフである。
【図４】この発明の実施の形態１における水温とサイド点火プラグの点火時期の補正値との関係を説明するためのグラフである。
【図５】この発明の実施の形態１においてシステムが実行する制御のルーチンについて説明するためのフローチャートである。
【図６】この発明の実施の形態２におけるベーパ濃度とサイド点火プラグの点火時期の補正値との関係を説明するためのグラフである。
【図７】この発明の実施の形態２においてシステムが実行する制御のルーチンについて説明するためのフローチャートである。
【図８】この発明の実施の形態３におけるベーパ濃度とメイン点火プラグの点火時期の補正値との関係を説明するためのグラフである。
【図９】この発明の実施の形態３においてシステムが実行する制御のルーチンについて説明するためのフローチャートである。
【図１０】この発明の実施の形態４においてシステムが実行する制御のルーチンについて説明するためのフローチャートである。
【符号の説明】
【００７６】
２  内燃機関
４  気筒
６  ピストン
８  コンロッド
１０  回転数センサ
１２  水温センサ
１４  燃焼室
１６  メイン点火プラグ
１８  サイド点火プラグ
２０  筒内インジェクタ
２２  吸気ポート
２４  排気ポート
２６  ポートインジェクタ
３０  吸気バルブ
３２  排気バルブ
３４  吸気カム
３６  排気カム
４０  吸気通路
４２  スロットルバルブ
４４  エアフロメータ
４８  空燃比センサ
５０  三元触媒
５２  高圧燃料噴射ポンプ
５４  燃料タンク
５６  ベーパ通路
５８  キャニスタ
６０  パージ通路
６２  ＶＳＶ
７０  ＥＣＵ
７２  アクセルポジションセンサ
【図１】
2007154826.tif 000003
【図２】
2007154826.tif 000004
【図３】
2007154826.tif 000005
【図４】
2007154826.tif 000006
【図５】
2007154826.tif 000007
【図６】
2007154826.tif 000008
【図７】
2007154826.tif 000009
【図８】
2007154826.tif 000010
【図９】
2007154826.tif 000011
【図１０】
2007154826.tif 000012